(57)【要約】【課題】拡散板を除去し、拡散シートを固定可能な構造を備えたバックライトユニット及びこれを備えた液晶表示装置を提供する。【解決手段】収納空間が設けられると共に、係合孔の穿設された収納部材と、収納部材の係合孔に係止する係止部材及び係止孔の穿設されたシートを備え、シートは、係止孔と係止部材との係合により固定されることを特徴とするバックライトユニット及びこれを備えた液晶表示装置。【選択図】図４Ａ
2008147158.tif 000002
【特許請求の範囲】
【請求項１】
収納空間が設けられると共に、係合孔が穿設された収納部材と、
前記収納部材の係合孔に係止する係止部材と、
係止孔の穿設されたシートと、
を備え、前記シートは、前記係止孔と前記係止部材との係合により固定されることを特徴とするバックライトユニット。
【請求項２】
前記シートは、
ベースフィルムと、
前記ベースフィルム内に散布された拡散ビーズと、
前記ベースフィルムの上に形成された拡散パターンと、
を備える拡散シートであることを特徴とする請求項１に記載のバックライトユニット。
【請求項３】
前記収納部材は第１のモールドフレームを備え、前記係合孔は前記モールドフレームに穿設されることを特徴とする請求項１に記載のバックライトユニット。
【請求項４】
前記収納部材はシャーシを備え、前記係合孔は前記シャーシに穿設されることを特徴とする請求項１に記載のバックライトユニット。
【請求項５】
前記収納部材は前記シャーシの一部の側壁に係合する第２のモールドフレームを備え、前記係合孔は前記第２のモールドフレームに穿設されることを特徴とする請求項４に記載のバックライトユニット。
【請求項６】
前記係止孔は前記シートの周縁領域に穿設されることを特徴とする請求項１に記載のバックライトユニット。
【請求項７】
前記係止部材は第１の係止部を備え、前記第１の係止部は、
第１のボディと、
前記第１のボディの一端に形成された第１のヘッドと、
を備えることを特徴とする請求項１に記載のバックライトユニット。
【請求項８】
前記第１の係止部は、
前記第１のボディの他端に前記係合孔の孔径よりも大きく形成された固定部をさらに備えることを特徴とする請求項７に記載のバックライトユニット。
【請求項９】
前記第１のヘッドは、一端から他端に進むにつれて次第に狭幅となるテーパ状に形成されることを特徴とする請求項７に記載のバックライトユニット。
【請求項１０】
前記第１のヘッドは、前記第１のボディに対して所定の角度だけ傾斜して形成されることを特徴とする請求項７に記載のバックライトユニット。
【請求項１１】
前記第１の係止部の第１のボディの中心軸と前記シートの係止孔の中心とは、互いにずらして配置されることを特徴とする請求項７に記載のバックライトユニット。
【請求項１２】
前記シートの係止孔は、前記第１の係止部の第１のボディに係止することを特徴とする請求項７に記載のバックライトユニット。
【請求項１３】
前記係止部材は第２の係止部を備え、前記第２の係止部は、
弾性構造を有するベース部と、
前記ベース部の上に突設されると共に、前記収納部材の係合孔に係止する突部と、
前記ベース部の上に形成されると共に、前記シートの係止孔に係止する第２のボディと、
を備えることを特徴とする請求項１に記載のバックライトユニット。
【請求項１４】
前記ベース部は閉曲線状であり、一側が中心部側に向けて突出した屈曲形状に形成されて弾性構造を有することを特徴とする請求項１３に記載のバックライトユニット。
【請求項１５】
前記第２の係止部は、複数のものがつながれて一体に形成されることを特徴とする請求項１３に記載のバックライトユニット。
【請求項１６】
前記第２の係止部の第２のボディの中心軸と前記シートの係止孔の中心とは、互いにずらして配置されることを特徴とする請求項１３に記載のバックライトユニット。
【請求項１７】
前記第２の係止部は、前記第２のボディの端部に形成された第２のヘッドを備えることを特徴とする請求項１４に記載のバックライトユニット。
【請求項１８】
前記係合孔は、前記第２の係止部のベース部に見合うサイズに形成されることを特徴とする請求項１４に記載のバックライトユニット。
【請求項１９】
前記係合孔は、
前記第２の係止部の突部のサイズと位置に対応するように穿設される第１の係合孔と、
前記第２の係止部の第２のボディよりも大きく穿設される第２の係合孔と、
を備えることを特徴とする請求項１４に記載のバックライトユニット。
【請求項２０】
収納空間が設けられると共に、係合孔の穿設された収納部材と、
前記収納部材の係合孔に係止する係止部材と、
係止孔の穿設された拡散シートと、
を備え、前記拡散シートは、
前記係止孔が前記係止部材に係止するバックライトユニットと、
前記バックライトユニットの上部に配置されて画像をディスプレイする液晶表示パネルと、
を備えることを特徴とする液晶表示装置。
【請求項２１】
前記収納部材内に配置される光源ユニットと、
前記拡散シートの上に配置される光学シートと、
をさらに備えることを特徴とする請求項２０に記載の液晶表示装置。
【発明の詳細な説明】
【技術分野】
【０００１】
本発明はバックライトユニット及びこれを備えた液晶表示装置に係り、さらに詳しくは、拡散板を除去して拡散シートを固定可能な構造を備えたバックライトユニット及びこれを備えた液晶表示装置に関する。
【背景技術】
【０００２】
フラット表示装置のうち液晶表示装置（Liquid Crystal Display；ＬＣＤ）は、軽量、薄型、低電力駆動、フルカラー、高解像度の具現し易さなどの特徴を有することから、その応用範囲の拡大には目を見張るものがある。現在、液晶表示装置は、パソコン、ノート型パソコン、携帯情報端末（ＰＤＡ）、電話機、テレビ、オーディオ／ビデオ機器などに採用されている。この種の液晶表示装置は、マトリックス状に配列された多数の制御用のスイッチに印加される映像信号に基づいて光の透過量が調節され、液晶表示装置の液晶表示パネルに所望の画像を表示する。この種の液晶表示装置のバックライトユニットは、光源の位置により、直下方式とエッジ方式とに大別される。すなわち、直下方式のものは、光源が液晶表示パネルの下部に配置され、エッジ方式のものは、導光板を用いて光源を液晶表示パネルの側面に配置している。
【０００３】
通常、直下方式のバックライトユニットは、光源の上部に拡散板が配置され、拡散板の上部に拡散シートとプリズムシートを有する多数の光学シートが配置される。拡散板は、光源からの光を散乱させて輝線をなくし、しかも、光学シートを保持する保持体の役割も果たす。しかしながら、拡散板が変形を引き起こし、結果として、シートと液晶表示パネルとが擦れ合うことによりムラが視認されるなどの不都合が生じていた。
【発明の開示】
【発明が解決しようとする課題】
【０００４】
本発明は上述の如き従来の問題点を克服するためのものであり、その目的は、拡散板を除去して拡散シートを固定可能な構造を備えたバックライトユニット及びこれを備えた液晶表示装置を提供するところにある。
【課題を解決するための手段】
【０００５】
前記本発明の目的を達成するために、本発明の一実施形態によれば、収納空間が設けられると共に、係合孔が穿設された収納部材と、前記収納部材の係合孔に係止する係止部材と、係止孔が穿設されたシートとを備え、前記シートは、前記係止孔と前記係止部材との係合により固定されることを特徴とするバックライトユニットを提供する。
前記シートは、ベースフィルムと、前記ベースフィルム内に散布された拡散ビーズと、前記ベースフィルムの上に形成された拡散パターンとを備える拡散シートとすることができる。
【０００６】
前記収納部材は第１のモールドフレームを備え、前記係合孔は前記モールドフレームに穿設することができる。
前記収納部材はシャーシを備え、前記係合孔は前記シャーシに穿設することができる。
前記収納部材は前記シャーシの一部の側壁に係合する第２のモールドフレームを備え、前記係合孔は前記第２のモールドフレームに穿設することができる。
【０００７】
前記係止孔は前記シートの周縁領域に穿設することができる。
前記係止部材は第１の係止部を備え、前記第１の係止部は、第１のボディと、前記第１のボディの一端に形成された第１のヘッドとを備えることが好ましい。
前記第１の係止部は、前記第１のボディの他端に前記係合孔の孔径よりも大きく形成された固定部をさらに備えることが好ましい。
【０００８】
前記第１のヘッドは、一端から他端に進むにつれて次第に狭幅となるテーパ状に形成することが好ましい。
前記第１のヘッドは、前記第１のボディに対して所定の角度だけ傾斜して形成することが好ましい。
前記第１の係止部の第１のボディの中心軸と前記シートの係止孔の中心とは、互いにずらして配置することが好ましい。
【０００９】
前記シートの係止孔は、前記第１の係止部の第１のボディに係止することが好ましい。
前記係止部材は第２の係止部を備え、前記第２の係止部は、弾性構造を有するベース部と、前記ベース部の上に突設されると共に、前記収納部材の係合孔に係止する突部と、前記ベース部の上に形成されると共に、前記シートの係止孔に係止する第２のボディとを備えることが好ましい。
【００１０】
前記ベース部は閉曲線状を呈し、一側が中心部側に突出して屈曲形状に形成され弾性構造を有することが好ましい。
前記第２の係止部は、複数のものがつながれて一体に形成することが好ましい。
前記第２の係止部の第２のボディの中心軸と前記シートの係止孔の中心とは、互いにずらして配置することが好ましい。
【００１１】
前記第２の係止部は、前記第２のボディの端部に形成された第２のヘッドを備えることが好ましい。
前記係合孔は、前記第２の係止部のベース部に見合うサイズに形成することが好ましい。
前記係合孔は、前記第２の係止部の突部のサイズと位置に対応するように穿設される第１の係合孔と、前記第２の係止部の第２のボディよりも大きく穿設される第２の係合孔とを備えることが好ましい。
【００１２】
本発明の他の実施形態によれば、収納空間が設けられると共に、係合孔が穿設された収納部材と、前記収納部材の係合孔に係止する係止部材と、係止孔が穿設された拡散シートとを備え、前記拡散シートは、前記係止孔が前記係止部材に係止するバックライトユニットと、前記バックライトユニットの上部に配置されて画像をディスプレイする液晶表示パネルとを備えることを特徴とする液晶表示装置を提供する。
【００１３】
前記収納部材内に配置される光源ユニットと、前記拡散シートの上に配置される光学シートとをさらに備えることが好ましい。
【発明の効果】
【００１４】
本発明によれば、拡散板を除去し、拡散シートのみで光の拡散効果を実現することにより、コスト節減及び拡散板の不良による問題点の解消を図ることが可能になる。
【発明を実施するための最良の形態】
【００１５】
以下、添付図面に基づき、本発明の好適な実施形態について詳細に説明する。
図１は、本発明の一実施形態によるバックライトユニットの分解斜視図である。
図１に示すように、バックライトユニットは、ランプユニット４００、拡散シート５００、光学シート６００、第１のモールドフレーム８００、第２のモールドフレーム７００、下シャーシ９００及び係止部材１０００を備える。
【００１６】
第２のモールドフレーム７００、すなわち、サイドモールドフレームは、下シャーシ９００の左右の側壁に結合され、第２のモールドフレーム７００の結合された下シャーシ９００は、上面が開放された直方体の箱状に形成されて、内部には所定の深さの収納空間が形成される。
光源ユニット４００は、並列に並ぶ多数のＵ字形状のランプ４１０と、ランプを固定するための多数のランプ固定部４２０とを備える。このランプユニット４００は、下シャーシ９００の収納空間内に配置される。このとき、多数のランプ４１０としては、主として冷陰極蛍光ランプを用い、それぞれのランプは、ガラス管と、ガラス管の内部に入れられる不活性ガスと、ガラス管の両端部に設けられる負の電極及び正の電極とにより構成されている。この実施形態において、ランプとしてＵ字形状のランプを用いているが、これに限定されるものではなく、棒状のランプを用いることもできる。また、この実施形態の場合、光源ユニット４００の光源としてランプを用いているが、これに限定されるものではなく、発光ダイオードなどの他の光源を用いることもできる。
【００１７】
第１のモールドフレーム８００、すなわち、ミドルモールドフレームは、全体として内部が開放された四角枠状に形成される。第１のモールドフレーム８００の周縁領域には係合孔８１０（以下の図３Ａ参照）が穿設され、この係合孔８１０に係止部材１０００が係止する。第１のモールドフレーム８００の上面には液晶表示パネル（図示せず）が収納されて支持される。この実施形態の場合、係止部材１０００が第１のモールドフレーム８００に係止することを例として説明しているが、これに限定されるものではなく、係止部材１０００は下シャーシ９００または第２のモールドフレーム７００に係止することもできる。
【００１８】
拡散シート５００には、第１のモールドフレーム８００に係止する係止部材１０００の個数及びサイズに対応するように係止孔５１０が形成される。拡散シート５００は、係止孔５１０を係止部材１０００に係止することにより、第１のモールドフレーム８００の背面に固定し、係止部材１０００に固定された拡散シート５００の上にプリズムシート６１０と保護シート６２０を有する光学シート６００を順に配置する。
【００１９】
拡散シート５００は多数のランプ４１０からの入射光を液晶表示パネル（図示せず）の正面に向かわせ、広範囲に亘って均一な分布を有するように光を拡散させて液晶表示パネルに照射し、拡散シート５００の上に配置されたプリズムシート６１０は、入射光のうち斜めに入射する光を垂直に出射するように変える役割を果たす。この実施形態の場合、１枚のプリズムシートを用いているが、２枚以上のプリズムシートを用いてもよく、種々の機能を有する機能性光学シートをさらに配置してもよい。
【００２０】
上述のように、拡散シートを係止部材に係止後、その上部に光学シートを配置することにより、従来のバックライトユニットに採用されていた拡散板を除去することが可能になり、拡散板代の節減及び拡散板の不良を根本的に防ぐことができる。
図２Ａは、拡散シートの概略平面図であり、図２Ｂは、図２Ａに示す拡散シートのI-I線に沿う断面図である。
【００２１】
図２Ａ及び図２Ｂに示すように、拡散シート５００の周縁領域には係止部材が係合するための係止孔５５０が穿設されている。このとき、係止孔５５０は係止部材１０００の個数及びサイズに見合うように拡散シート５００の周縁領域に形成される。この実施形態の場合、係止孔５５０が長方形状に形成されているが、これに限定されることなく、係止部材の形状によって変形可能である。
【００２２】
拡散シート５００は、拡散力を高めるために、ベースフィルム５１０、拡散ビーズ５２０及び拡散パターン５３０により構成される。
ベースフィルム５１０は、その内部に多数の拡散ビーズ５２０が散布されており、このベースフィルム５１０は、ポリエチレンテレフタレート（Polyethylen Terephthalate：ＰＥＴ）からなるが、ベースフィルム５１０の材料はこれに限定されるものではない。拡散パターン５３０は、ベースフィルム５１０の上に凹凸状に形成され、且つ、拡散パターン５３０はアクリル系樹脂からなるが、拡散パターン５３０の材料及び形状はこれに限定されるものではない。
【００２３】
このような構造の拡散シート５００を用いることにより、拡散シート５００に入射した光は拡散ビーズ５２０により１次的に拡散され、拡散パターン５３０により２次的に拡散され、結果として、拡散力が高まり、しかも、光の輝度の均一性が改善される。
図３Ａは、第１のモールドフレームと第１の係止部の分解斜視図であり、図３Ｂは、第１の係止部に係止する第１のモールドフレームの背面斜視図であり、図３Ｃは、図３ＢにおけるＡ部分の拡大図であり、図３Ｄは、図３Ｂに示すモールドフレームのII-II線に沿う断面図である。図３Ａから図３Ｄには、図１に示す係止部材１０００の一実施形態である第１の係止部１１００の第１のモールドフレーム８００への係止前及び係止後の状態を示している。
【００２４】
図３Ａから図３Ｄに示すように、第１の係止部１１００は、固定部１１１０、第１のボディ１１２０及び第１のヘッド１１３０を備える。
第１のボディ１１２０の一端には第１のヘッド１１３０が形成され、第１のボディ１１２０の他端には固定部１１１０が形成される。このとき、第１のボディ１１２０は棒状に形成され、固定部１１１０は第１のボディ１１２０の延長方向と交差する方向に形成され、固定部１１１０は、第１のモールドフレーム８００に穿設された係合孔８１０よりも大きく形成される。第１のヘッド１１３０は、一端から他端に進むにつれて次第に狭幅となるテーパ状に形成される。
【００２５】
第１の係止部１１００を第１のモールドフレーム８００の係合孔８１０に係止する過程を説明すると、第１のヘッド１１３０及び第１のボディ１１２０が係合孔８１０に挿入されて完全に挿通された後、固定部１１１０により固定される。この実施形態においては図示を省略しているが、固定部１１００が配置される第１のモールドフレーム８００の上面に、固定部１１００のサイズに見合う溝を形成して係止力を一層強めることができる。なお、上述の第１のボディ、第１のヘッド及び固定部のサイズ及び形状は種々に変形可能である。
【００２６】
図４Ａは、第１の係止部が係止する第１のモールドフレームと拡散シートの分解斜視図であり、図４Ｂは、第１の係止部と拡散シートの係止孔の配置状態を示す平面図であり、図５Ａ及び図５Ｂは、第１の係止部と拡散シートとの係合過程を示す図面である。
図４Ａから図５Ｂに示すように、拡散シート５００は、第１のモールドフレームに係止する第１の係止部１１００によって係止される。
【００２７】
一方、拡散シート５００は、周りの環境条件によって（すなわち、高温高湿または低温）膨張・収縮する現像が起きる。もし、拡散シート５００が第１の係止部１１００に係合されていない場合、拡散シートにシワができたり弛む現像が生じ、結果として光輝度ムラが生じる。
このような現像を防ぐために、第１の係止部１１００を弾性材から形成し、第１の係止部１１００の中心軸、すなわち、第１のボディ１１２０の中心軸と拡散シート５００の係止孔５５０の中心とを互いにずらして配置する。すなわち、第１のボディ１１２０は係止孔５５０の外側に来るように、第１の係止部１１００または係止孔５５０を配置する。
【００２８】
このように構成された第１の係止部１１００と拡散シート５００との係合過程を図５Ａ及び図５Ｂを参照して説明すると、第１の係止部１１００の第１のヘッド１１３０が拡散シート５００の係止孔５５０に嵌入されるとき、第１の係止部１１００の中心軸と係止孔５５０の中心とがずれているため、第１のボディ１１２０は僅かに捩れて係止する。係止が完了すると、第１のボディ１１２０は弾性により元の形状に戻ろうとする復元力が生じるが、第１のボディ１１２０の復元力により拡散シート５００に持続的なテンションを与えることが可能になる。その結果、拡散シート５００は第１の係止部１１００に緊合され、周りの環境が劣悪になるとしても、拡散シートにシワができたり弛む現像を防ぐことが可能になる。
【００２９】
図６は、第１の係止部の変形例を示す斜視図である。
図６に示すように、第１の係止部１１００は、固定部（図示せず）、第１のボディ１１２０及び第１のヘッド１１３５を備える。このとき、第１のヘッド１１３５は、前述した実施形態において述べたように、第１のボディ１１２０と同じ方向に延在するのではなく、第１のボディ１１２０に対して所定の角度だけ傾斜して形成される。このように、第１のヘッド１１３５を第１のボディ１１２０に対して所定の角度だけ傾斜して形成することにより、第１のヘッド１１３５は係止孔５５０に滑り込み、係止が一層容易になる。
【００３０】
図７は、本発明の他の実施形態によるバックライトユニットの分解斜視図である。
図７に示すように、バックライトユニットは、ランプユニット（図示せず）、拡散シート５００、光学シート（図示せず）、第１のモールドフレーム（図示せず）、第２のモールドフレーム７００、下シャーシ９００及び係止部材を備え、このとき、係止部材としては、前述の実施形態における第１の係止部とは異なる実施形態である第２の係止部１２００が用いられる。
【００３１】
第２のモールドフレーム７００、すなわち、サイドモールドフレームは、下シャーシ９００の左右の側壁に結合され、第２のモールドフレーム７００の結合された下シャーシ９００は、上面が開放された直方体の箱状に形成されて内部には所定の深さの収納空間が形成される。
第２のモールドフレーム７００と下シャーシ９００の周縁領域には係合孔７１０、９１０が穿設され、この係合孔７１０、９１０に第２の係止部１２００が係止する。
【００３２】
拡散シート５００には、第２の係止部１２００に見合う係止孔５１０が穿設される。拡散シート５００は、係止孔５１０と第２の係止部１２００を係合することにより、下シャーシ９００の上部に固定し、第２の係止部１２００に固定された拡散シート５００の上に光学シート（図示せず）が順に配置される。
図８は、図７に示すバックライトユニットの第２の係止部の拡大斜視図であり、図９Ａは、シャーシの係合孔と拡散シートの係止孔の配置状態を示す平面図であり、図９Ｂは、第２の係止部がシャーシの係合孔と拡散シートの係止孔に係止している状態を示す平面図であり、図９Ｃは、係合孔の変形例を示す図である。
【００３３】
図８に示すように、第２の係止部１２００は、ベース部１２１０、突部１２２０及び第２のボディ１２３０を備える。ベース部１２１０は弾性構造を備え、突部１２２０はベース部１２１０の上に形成され、係合孔７１０、９１０に係止することにより、第２の係止部１２００の固定を行う。第２のボディ１２３０はベース部１２１０の上に形成され、拡散シート５００の係止孔５５０に係止する。このとき、第２のボディ１２３０の端部には第２のヘッド（図示せず）を形成することもできる。
【００３４】
ベース部１２１０は四角枠形状の閉曲線状に形成され、一側が中心部側に突出する屈曲状態で形成された弾性構造を有する。第２のボディ１２３０は、このような弾性構造を有するベース部１２１０の屈曲部分が形成された第１の辺の下面（図８下面）から図８下方に向けて形成されている。また、突部１２２０は、第２のボディ１２３０が形成されている部分に対向しない第２の辺及び第３の辺にそれぞれ図８の下方に向けて形成された第１の突起１２２０ａと第２の突起１２２０ｂとを備えている。この実施形態の場合、突部１２２０が２本の突起をもってベース部１２１０の第２の辺及び第３の辺に形成されているが、突部の構成はこれに限定されるものではなく、１本または３本以上の突起を有してもよく、形成個所も様々に変更可能である。
【００３５】
図９Ａ及び図９Ｂに示すように、下シャーシ９００に穿設された係合孔９１０は、第１の係合孔９１１（９１１ａ、９１１ｂ）と第２の係合孔９１２を備える。第１の係合孔９１１は、突部１２２０の本数、サイズ及び位置に対応するように穿設され、ここに突部１２２０が係止する。第２の係合孔９１２は、第２の係止部１２００の第２のボディ１２３０がその内部に配置自在に、第２のボディ１２３０よりも大きく形成される。このとき、第２の係止部１２００の第２のボディ１２３０の中心軸と拡散シート５００の係止孔５５０の中心とは互いにずらして配置し、第２の係止部１２００と拡散シート５００とを係合する過程は前述の実施形態と同様であるため、これについての説明は省く。また、第２のモールドフレーム７００に穿設された係合孔７１０もまた、下シャーシに穿設された係合孔と同様に、第１の係合孔と第２の係合孔を備える。
【００３６】
図９Ｃには、下シャーシと第２のモールドフレームに穿設された係合孔の変形例が示してあるが、下シャーシ９００に穿設された係合孔９２０は、図９Ａと図９Ｂとは異なり、単一の係合孔である。第２の係止部の第１の突起（図示せず）と第２の突起（図示せず）は係合孔９２０の両側に係止する。
図１０Ａ及び図１０Ｂは、第２の係止部の変形例である第３の係止部と第４の係止部をそれぞれ示す斜視図である。
【００３７】
図１０Ａ及び図１０Ｂに示すように、第２の係止部を下シャーシ及び第２のモールドフレームに係止するとき、係止し易さのために複数が繋がりあって一体に形成された第３の係止部及び第４の係止部が示されている。
図１０Ａに示す第３の係止部１３００は２本の閉曲線により構成され、各閉曲線毎に弾性構造を有するベース部１３１０、突部１３２０及び各弾性構造にそれぞれ形成された２つの第３のボディ１３３０を備える。この実施形態の場合、長方形の閉曲線及び第３のボディが２つずつ形成されるものを例として挙げているが、これに限定されるものではなく、その個数及び形状は種々に変更可能である。
【００３８】
図１０Ｂに示す第４の係止部１４００は、単一の閉曲線により構成され、３つの弾性構造を有するベース部１４１０、突部１４２０及び各弾性構造にそれぞれ形成された３つの第４のボディ１４３０を備える。
図１１は、本発明によるバックライトユニットを備えた液晶表示装置の分解斜視図である。
【００３９】
図１１に示すように、液晶表示装置は、トップシャーシ３００、液晶表示パネル１００、駆動回路部２２０、２４０及びバックライトユニットを備え、このとき、バックライトユニットは、ランプユニット４００、拡散シート５００、光学シート６００、第１のモールドフレーム８００、第２のモールドフレーム７００、下シャーシ９００及び係止部材１０００を備える。バックライトユニットは、前述の実施形態において既に上述しているため、以下ではその説明を省く。
【００４０】
第１のモールドフレーム８００の上部には、画像をディスプレイする液晶表示パネル１００が配置される。駆動回路部２２０、２４０は液晶表示パネル１００と接続され、コントロールＩＣを搭載し、ＴＦＴ基板１２０のゲート線に所定のゲート信号を印加するためのゲート側プリント回路基板２２４と、コントロールＩＣを搭載すると共に、ＴＦＴ基板１２０のデータ線に所定のデータ信号を印加するためのデータ側のプリント回路基板２４４と、ＴＦＴ基板１２０とゲート側のプリント回路基板２２４とを接続するためのゲート側の軟性プリント回路基板２２２と、ＴＦＴ基板１２０とデータ側のプリント回路基板２４４とを接続するためのデータ側の軟性プリント回路基板２４２とを備える。ゲート側及びデータ側のプリント回路基板２２４、２４４は、ゲート駆動信号及び外部よりの映像信号を印加するために、ゲート側及びデータ側のフレキシブルプリント回路基板２２２、２４２に接続される。このとき、ゲート側及びデータ側のプリント回路基板２２４、２４４をまとめて単一のプリント回路基板にしてもよい。また、フレキシブルプリント回路基板２２２、２４２には駆動ＩＣ（図示せず）が搭載されており、プリント回路基板２２４、２４４から発せられたＲ（赤）、Ｇ（緑）Ｂ（青）信号及び電源などを液晶表示パネル１００に送る。
【００４１】
上シャーシ３００は、液晶表示パネル１００の縁部、すなわち、非表示領域と第１のモールドフレーム８００の外側面を覆うように、下シャーシ９００と第２のモールドフレーム７００に組み付けられる。
以上、本発明によるバックライトユニット及びこれを備えた液晶表示装置について説明したが、これは単なる例示的なものに過ぎず、本発明はこれらに限定されるものではない。なお、特許請求の範囲において請求するように、本発明の要旨を逸脱することなく、この技術分野における通常の知識を持った者であれば誰でも種々の変更実施が行える範囲まで本発明の技術的な精神があると言えるであろう。
【図面の簡単な説明】
【００４２】
【図１】本発明の一実施形態によるバックライトユニットの分解斜視図である。
【図２Ａ】拡散シートの概略平面図である。
【図２Ｂ】図２Ａに示す拡散シートのI-I線に沿う断面図である。
【図３Ａ】第１のモールドフレームと第１の係止部の分解斜視図である。
【図３Ｂ】第１の係止部に係止する第１のモールドフレームの背面斜視図である。
【図３Ｃ】図３ＢにおけるＡ部分の拡大図である。
【図３Ｄ】図３Ｂに示す第１のモールドフレームのII-II線に沿う断面図である。
【図４Ａ】第１の係止部が係止する第１のモールドフレームと拡散シートの分解斜視図である。
【図４Ｂ】第１の係止部と拡散シートの係止孔の配置状態を示す平面図である。
【図５Ａ】第１の係止部と拡散シートとの係合過程を示す図である。
【図５Ｂ】第１の係止部と拡散シートとの係合過程を示す図である。
【図６】第１の係止部の変形例を示す斜視図である。
【図７】本発明の他の実施形態によるバックライトユニットの分解斜視図である。
【図８】図７に示すバックライトユニットの第２の係止部の拡大斜視図である。
【図９Ａ】シャーシの係合孔と拡散シートの係止孔の配置状態を示す平面図である。
【図９Ｂ】第２の係止部がシャーシの係合孔と拡散シートの係止孔に係止している状態を示す平面図である。
【図９Ｃ】係合孔の変形例を示す図である。
【図１０Ａ】第２の係止部の変形例である第３の係止部を示す斜視図である。
【図１０Ｂ】第２の係止部の変形例である第４の係止部を示す斜視図である。
【図１１】本発明によるバックライトユニットを備えた液晶表示装置の分解斜視図である。
【符号の説明】
【００４３】
１００：液晶表示パネル
３００：上シャーシ
４００：光源ユニット
５００：拡散シート
５５０：係止孔
６００：光学シート
８００：第１のモールドフレーム
９００：下シャーシ
１０００：係止部材
【図１】
2008147158.tif 000003
【図２Ａ】
2008147158.tif 000004
【図２Ｂ】
2008147158.tif 000005
【図３Ａ】
2008147158.tif 000006
【図３Ｂ】
2008147158.tif 000007
【図３Ｃ】
2008147158.tif 000008
【図３Ｄ】
2008147158.tif 000009
【図４Ａ】
2008147158.tif 000010
【図４Ｂ】
2008147158.tif 000011
【図５Ａ】
2008147158.tif 000012
【図５Ｂ】
2008147158.tif 000013
【図６】
2008147158.tif 000014
【図７】
2008147158.tif 000015
【図８】
2008147158.tif 000016
【図９Ａ】
2008147158.tif 000017
【図９Ｂ】
2008147158.tif 000018
【図９Ｃ】
2008147158.tif 000019
【図１０Ａ】
2008147158.tif 000020
【図１０Ｂ】
2008147158.tif 000021
【図１１】
2008147158.tif 000022